(57)【特許請求の範囲】
【請求項１】
荷物を積載するロールボックスパレットの移動作業を行う際に着用されて、掌及び指の内側に相当する位置には滑り止め用シートを設け、手の甲及び指の外側に相当する位置には衝撃吸収用パッドを設けた、ロールボックスパレット作業用手袋であって、
前記指の外側で指先の爪に相当する位置において、爪全体に相当する、手袋の指先の先端から１５ｍｍ程度の範囲に、前記衝撃吸収用パッドを設けていない指先非パッド部を設定した
ことを特徴とするロールボックスパレット作業用手袋。
【請求項２】
請求項１記載のロールボックスパレット作業用手袋において、
前記衝撃吸収用パッドを凹凸形状の複数の凸部と凹部とで構成して、該衝撃吸収用パッドの各凸部の外形形状を円曲面形状とした
ことを特徴とするロールボックスパレット作業用手袋。
【請求項３】
請求項２記載のロールボックスパレット作業用手袋において、
前記複数の凸部と凹部は、手の握り方向と直交する方向に延びている
ことを特徴とするロールボックスパレット作業用手袋。
【請求項４】
請求項１乃至３のいずれか１記載のロールボックスパレット作業用手袋において、
前記衝撃吸収用パッドは、人指し指の付け根と小指の付け根とを結ぶ線に相当する位置に第一の切れ目を設定し、親指の付け根と手首の内側位置とを結ぶ線に相当する位置に第二の切れ目を設定して、各指に相当する位置に設けた複数の指用パッドと、手の甲に相当する位置に設けた甲用パッドとに分かれている
ことを特徴とするロールボックスパレット作業用手袋。
【請求項５】
請求項１乃至４のいずれか１記載のロールボックスパレット作業用手袋において、
手の側面及び指の側面に、前記衝撃吸収用パッド及び前記滑り止め用シートを設けていない側面非パッド部を設定した
ことを特徴とするロールボックスパレット作業用手袋。
【発明の詳細な説明】
【技術分野】
【０００１】
この発明は、トラックの荷台や倉庫等において行われる、いわゆるロールボックスパレットの移動作業等の際に着用されるロールボックスパレット作業用手袋に関する。
【背景技術】
【０００２】
従来から、トラックにおける荷物の搬送作業等では、ロールボックスパレットと呼ばれる人力荷役機器が使用されている。このロールボックスパレットとは、底板上に搬送する荷物を載置して、底板の下面に４つのキャスターを取り付け、底板上の周囲に複数の側面枠を立設して構成されるカゴ付パレットである。
【０００３】
このロールボックスパレットには、大量の荷物を積載して搬送することができるため、荷物を積載した状態で、かなりの重量（例えば、約１ｔ程度）になることもある。しかし、このように大量の荷物を積載したロールボックスパレットを倉庫内等で移動させる際には、誤って作業者が、手を隣のロールボックスパレットと間で挟んだり、壁にぶつけたりするおそれがあるため、安全性の確保が問題となる。
【０００４】
そこで、ロールボックスパレットを移動させる際には、作業者の安全が図れるように、作業者に衝撃吸収性能を有する衝撃吸収用パッド等を備えた作業用手袋を着用させることが考えられる。例えば、下記特許文献１に記載される作業用手袋や、下記特許文献２に記載された手袋を着用させることなどが考えられる。
【０００５】
まず、特許文献１の作業用手袋は、手の外側の指や手の甲に対応した位置に、衝撃吸収性能のあるパッドを設けて、手の外方から作用する衝撃を緩和するように構成されている。これにより、作業者の手への衝撃を緩和することができる。
【０００６】
また、特許文献２の手袋は、そもそも防寒用の手袋であるが、この手袋でも、ロールボックスパレットの移動作業を行うことが考えられる。この手袋においても、手の甲や指に対応して発泡ゴムで凹凸が形成されているため、ロールボックスパレットの移動作業時に生じる手の外方からの衝撃に対して、手を保護することができる。
【先行技術文献】
【特許文献】
【０００７】
【特許文献１】特開昭６２−２９２４０６号公報
【特許文献２】意匠登録第１２３３３５５号公報
【発明の概要】
【発明が解決しようとする課題】
【０００８】
ところで、こうしたロールボックスパレットの移動作業の際には、同時に、荷物伝票の記載作業や、落下した小さな物の拾い上げ作業、さらには紐やロープの結び作業など、細かな作業が必要となる。
【０００９】
こうした細かな作業については、前述の各特許文献記載の手袋では、十分に行うことができない。このため、細かな作業を行う場合には、その都度、手袋を取り外す必要があり、ロールボックスパレットの移動作業の作業性が悪化するという問題が生じる。
【００１０】
まず、特許文献２記載の手袋は、防寒用でもあることから、掌にも凹凸の発砲ゴムが設けられており、そもそも、細かな作業に向いていない。手袋の指先をみても、発泡ゴムの
凸部が、指先全体を覆っているため、到底、荷物伝票の記載作業などを行うことができない。よって、この手袋では、細かな作業が行えず、ロールボックスパレットの移動作業の作業性は悪化する。
【００１１】
一方、特許文献１記載の作業用手袋は、手の甲側のみにパッドを設けており、掌にはパッドを設けていないために、一見では、こうした作業性の悪化はないように思われる。
【００１２】
しかし、手袋の指先をみてみると、やはり、爪の一部に対応する位置にまでパッドを設けているため（段落［００４７］参照）、荷物伝票の記載作業などを行うことは困難である。すなわち、筆記具で文字を書く際には、中指の爪の根元付近で筆記具を受けて、文字を書くことになるが、爪の根元位置にパッドを設けているため、中指の位置で筆記具が安定せず、作業者は違和感を持ったまま、文字を書かないといけないからである。
【００１３】
また、紐やロープを結ぶ際にも、通常は紐やロープで作った輪の中に一部指を差し込み、紐やロープを摘んで行うが、この時にも、爪の一部に対応する位置にパッドが設けられていると、紐やロープの輪の中に、僅かしか、指先を差し込むことができず、やはり紐やロープを結ぶ作業が困難となり、結果として、手袋を取り外す必要が生じて作業性が悪化する。
【００１４】
そこで、本発明は、ロールボックスパレットの移動作業の際に着用して、手の外方からの衝撃を緩和する衝撃吸収部材を備えたロールボックスパレット作業用手袋において、荷物伝票の記載作業等の細かな作業を、手袋を着用したまま容易に行なうことができ、作業性の向上を図ることができるロールボックスパレット作業用手袋を提供することを目的とする。
【課題を解決するための手段】
【００１５】
この発明のロールボックスパレット作業用手袋は、指の外方に相当する部分に、衝撃吸収を行う衝撃吸収用パッドを設けつつも、指先の爪に相当する部分には、該衝撃吸収用バッドを設けない非パッド部を設定することで、手の外方側からの衝撃を緩和しつつも、細かな作業も容易に行うことができるようにしたものである。
【００１６】
具体的には、第１の発明は、荷物を積載するロールボックスパレットの移動作業を行う際に着用されて、掌及び指の内側に相当する位置には滑り止め用シートを設け、手の甲及び指の外側に相当する位置には衝撃吸収用パッドを設けた、ロールボックスパレット作業用手袋であって、前記指の外側で指先の爪に相当する位置において、爪全体のみに相当する範囲に、前記衝撃吸収用パッドを設けていない指先非パッド部を設定したものである。
【００１７】
上記構成によれば、手の甲及び指の外側に相当する位置には衝撃吸収用パッドを設けつつも、指先の爪全体に相当する位置に指先非パッド部を設定したことにより、手の外方から衝撃が加わったとしても、手の甲や指を保護することができつつも、指先の爪全体に相当する位置には衝撃吸収用パッドが設けられていないため、指先の爪に相当する部分で筆記具等を支持すること等が容易に行える。
【００１８】
すなわち、ロールボックスパレットの移動作業を行う際に、作業者の手に外方から衝撃を加わったとしても、その衝撃を衝撃吸収用パッドによって緩和することができる。また一方、荷物伝票に記載を行う場合等においても、中指の爪の根元付近で筆記具を容易に支持することができるため、手袋を着用したまま、荷物伝票の記載等の細かい作業を行うことができる。
【００１９】
なお、このように、指先の爪全体に相当する位置に、指先非パッド部を設定することで、衝撃吸収用パッドが指先部分になくなるが、ロールボックスパレットの移動作業中には、指先よりも指の根元や手の甲を挟んだり、ぶつけたりすることが多いため、指先の爪に相当する部分に衝撃吸収用パッドが存在しなくても、大きな問題となることはない。
【００２０】
第２の発明は、第１の発明において、前記衝撃吸収用パッドを凹凸形状の複数の凸部と凹部とで構成して、該パッドの凸部の外形形状を円曲面形状としたものである。
【００２１】
上記構成によれば、衝撃吸収用パッドの凸部の外形形状を、円曲面形状としていることで、凸部の外表面を円曲面で滑らかな面にすることができる。
【００２２】
このため、ロールボックスパレットに荷物を積載した状態で、作業者がロールボックスパレットの枠側面等を握る際などに、衝撃吸収用パッドの凸部が、積載した荷物に接触したとしても、凸部が荷物に引っ掛かることなく、手を差し入れることができるため、ロールボックスパレットの側面枠等をスムーズに握ることができる。
【００２３】
よって、手の甲や指の外側に相当する位置に、衝撃吸収用パッドを設けたとしても、凸部が荷物に干渉しないため、ロールボックスパレットの側面枠等を迅速に握ることができ、ロールボックスパレットの移動作業を迅速に行うことができる。
【００２４】
なお、ここで「円曲面」とは、半球面や、楕円面や、角を丸くした面等、滑らかな曲面を有する面を言う。
【００２５】
第３の発明は、第２の発明において、前記凹部と凸部は、手の握り方向と直交する方向に延びているものである。
【００２６】
上記構成によれば、衝撃吸収用パッドの凹部と凸部は、手の握り方向に直交する方向に延びているため、衝撃吸収用パッドを設けたとしても、凹部によって変形しやすくなり、手の握り動作に抵抗（負荷）になり難く、手袋を着用した状態で、スムーズに手を握ることができる。
【００２７】
よって、衝撃吸収用パッドを手の甲や指の外側に設けたとしても、ロールボックスパレットの側面枠等を握る際に、衝撃吸収用パッドが抵抗にならないため、ロールボックスパレットの移動作業を迅速に行うことができる。
【００２８】
第４の発明は、第１乃至３の発明において、前記衝撃吸収用パッドは、人指し指の付け根と小指の付け根とを結ぶ線に相当する位置に第一の切れ目を設定し、親指の付け根と手首の内側位置とを結ぶ線に相当する位置に第二の切れ目を設定して、各指に相当する位置に設けた複数の指用パッドと、手の甲に相当する位置に設けた甲用パッドとに分かれているものである。
【００２９】
上記構成によれば、前記衝撃吸収用パッドが、第一の切れ目と第二の切れ目によって、各指に相当する位置の複数の指用パッドと手の甲に相当する位置の甲用パッドと、に分かれているため、各々独立して動く５本の指の動作をできるだけ阻害しないようにできる。
【００３０】
よって、衝撃吸収用パッドを、手の甲や指の外側に設けたとしても、５本の指をスムーズに独立して動かすことができるため、ロールボックスパレットの移動作業を迅速に行うことができる。
【００３１】
第５の発明は、第１乃至第４の発明において、手の側面及び指の側面に、前記衝撃吸収用パッド及び前記滑り止め用シートを設けていない側面非パッド部を設定したものである。
【００３２】
上記構成によれば、手の側面及び指の側面に、側面非パッド部を設けたことで、通常の手袋と同様に、各指の間や手の側面で感触（感覚）を得ることできる。このため、作業者は、ロールボックスパレットの移動作業時等に、感触で得られる情報を、確実に得ることができる。
【００３３】
よって、作業者は、より迅速かつ安全に、ロールボックスパレットの移動作業等を行うことができる。
【発明の効果】
【００３４】
本願発明によれば、ロールボックスパレットの移動作業を行う際に、作業者の手に外方から衝撃を加わったとしても、その衝撃を衝撃吸収用パッドで緩和することができる。また一方、荷物伝票に記載を行う場合等においても、中指の爪の根元付近で筆記具を容易に支持することできるため、手袋を着用したまま、荷物伝票の記載等の細かい作業を行うことができる。
【００３５】
よって、ロールボックスパレットの移動作業の際に着用して、手の外方からの衝撃を緩和する衝撃吸収部材を備えるロールボックスパレット作業用手袋において、荷物伝票の記載作業等の細かな作業を、手袋を着用したまま容易に行なうことができ、作業性の向上を図ることができる。
【図面の簡単な説明】
【００３６】
【図１】本発明の実施形態にかかるロールボックスパレット作業用手袋を手の甲側から見た正面図である。
【図２】実施形態のロールボックスパレット作業用手袋を小指側から見た側面図である。
【図３】図１のＡ−Ａ線矢視断面図で、（ａ）は中指を伸ばした状態、（ｂ）は中指を折り曲げた状態である。
【図４】ロールボックスパレット移動作業を説明する図で、（ａ）が全体斜視図、（ｂ）が詳細断面図である。
【図５】壁や隣のロールボックスパレットとの間に作業者の手が挟まっている状態を示す斜視図である。
【発明を実施するための形態】
【００３７】
以下、本発明の実施形態を、図面に基づいて詳細に説明する。尚、以下の好ましい実施形態の説明は、本質的に例示に過ぎず、本発明、その適用物、或いはその用途を制限することを意図するものではない。
【００３８】
図１は本発明の実施形態にかかるロールボックスパレット作業用手袋Ｇを手の甲側から見た正面図、図２は実施形態のロールボックスパレット作業用手袋Ｇを小指側から見た側面図、図３は図１のＡ−Ａ線矢視断面図で、（ａ）は中指を伸ばした状態、（ｂ）は中指を折り曲げた状態である。
【００３９】
本実施形態のロールボックスパレット作業用手袋Ｇは、図１及び図２に示すように、人の手の親指、人指し指、中指、薬指、小指をそれぞれ収容する各指袋部を備えたベース手袋１と、該ベース手袋１の掌及び各指の内側に相当する位置に貼着される滑り止めシート２と、前記ベース手袋１の手の甲及び各指の外側に相当する位置に貼着される衝撃吸収パッド３とによって構成されている。なお、図１、図２に示すロールボックスパレット作業用手袋Ｇは、右手に着用するものを例示しているが、左手に着用するものも、この図１、
図２に示すものと同様である。以下、各構成要素について詳細に説明する。
【００４０】
前述のベース手袋１は、一般的な綿糸又は合成繊維糸によって編んだシームレス手袋によって構成されている。各指に対応して設けられた複数の指袋部１１，１２，１３，１４，１５と、手の甲に対応して設けられた甲袋部１６とを備えて、５本の指先から手首まで手を全て覆う５本指の手袋として形成されている。
【００４１】
なお、このベース手袋１の糸の種類や編み方等はこれに限定されるものではなく、縫製手袋等、一般に知られている手袋であれば、どのようなものであってもよい。
【００４２】
前述の滑り止めシート２は、例えば、クロロプレンゴムによって成形された約０．５ｍｍ厚の手形形状のシート部材によって構成されている。この滑り止めシート２は、ベース手袋１の掌及び各指の内側に相当する位置に貼着されている。この位置に滑り止めシート２が貼着されることにより、作業者がロールボックスパレットＰ（図４参照）の側面枠を握った際にも、手が滑ることなく、確実にロールボックスパレットＰを握ることができ、移動作業を行うことができる。
【００４３】
なお、この滑り止めシート２についても、素材はクロロプレンゴムに限定されず、天然ゴムや、その他の合成ゴムであってもよい。また、ラテックス等に浸漬し乾燥させた滑り止めや、塩化ビニール樹脂等を粒状に配置した滑り止めであってもよい。
【００４４】
前述の衝撃吸収パッド３は、例えば、クロロプレンゴムによって表面が凹凸形状に成形されたパッド部材によって構成されている。
【００４５】
この衝撃吸収パッド３は、人指し指の付け根４と小指の付け根５とを結ぶ線に相当する位置に設定された第一の切れ目３ｃ１と、親指の付け根６と手首の内側位置７とを結ぶ線に相当する位置に設定された第二の切れ目３ｃ２とにより、複数のパッド３１，３２，３２，３３，３４，３５，３６に分かれている。
【００４６】
具体的には、親指に相当する位置に貼着される親指用パッド３１と、人差し指に相当する位置に貼着される人差し指用パッド３２と、中指に相当する位置に貼着される中指用パッド３３と、薬指に相当する位置に貼着される薬指用パッド３４と、小指に相当する位置に貼着される小指用パッド３５と、さらに手の甲に相当する位置に貼着される甲用パッド３６と、に分かれている。
【００４７】
これら衝撃吸収パッド３１〜３６は、全て、クロロプレンゴムを発泡させた発泡材料で、柔軟に構成しており、また、表面には複数の凹部３１ａ，３２ａ，３３ａ，３４ａ，３５ａ，３６ａと、複数の凸部３１ｂ，３２ｂ，３３ｂ，３４ｂ，３５ｂ，３６ｂを形成している。このように、衝撃吸収パッド３１〜３６を柔軟に構成することで、外部からの衝撃を吸収することができる。また、凹部３１ａ〜３６ａと凸部３１ｂ〜３６ｂを形成したことで、手の握り動作等に対し、衝撃吸収パッドが抵抗にならないようにしている。
【００４８】
具体的には、凹部３１ａ〜３６ａと凸部３１ｂ〜３６ｂは、手の握り方向（図１の上下方向）に対して、直交する方向（図１の左右方向）に延びるように形成されており、手の握り動作の際に衝撃吸収パッド３１〜３６が容易に変形して、その握り動作を阻害しないようにしている。すなわち、手の握り方向に直交する方向に凹部３１ａ〜３６ａが延びるため、この凹部３１ａ〜３６ａによって衝撃吸収パッド３１〜３６が握り方向に変形しやすくなり、手の握り動作を阻害しないのである。
【００４９】
もっとも、甲用パッド３６については、握り方向にも延びる凹部３６ｃを形成している。これは、手の甲の部分では、手の握り方向に直交する方向の屈曲性も確保するためである。また、手袋が直交する方向へ広がる力も適度に分散させて、着用時の窮屈感も緩和されるようにしている。
【００５０】
なお、この甲用パッド３６の握り方向に延びる凹部３６ｃは、図１に示す等に交互に形成されており、隣り合う凸部３６ｂが、いわゆる千鳥状に配置されるように構成している。これは、凹部３６ｃが同じ位置で手の握り方向に連続すると、一筋状に衝撃吸収力が低下する部分が生じて、甲用パッド３６の衝撃吸収性能が悪化するためである。なお、凹部３１ａ〜３６ａ，３６ｃの幅Ｗａは、図３（ａ）に示すように、例えば約４〜５ｍｍに設定するのが望ましい。
【００５１】
凸部３１ｂ〜３６ｂは、前述のように、手の握り方向に対して直交する方向に延びるように形成され、その外表面は、図３（ａ）に示すように円曲面Ｒに形成されている。このように外表面を円曲面Ｒに形成することで、凸部３１ｂ〜３６ｂがロールボックスパレットＰ（図４（ａ）参照）に積載した荷物に接触しても、凸部３１ｂ〜３６ｂが荷物に引っ掛かることはない。これにより、作業者は、ロールボックスパレットＰの側面枠を、荷物に邪魔されることなく、スムーズに握ることができる。具体的には後述する。
【００５２】
なお、凸部３１ｂ〜３６ｂの大きさは、図３（ａ）に示すように、幅Ｗｂを例えば６〜８ｍｍに設定して、高さＨｂを例えば５〜６ｍｍに設定するのが望ましい。また凸部３１ｂ〜３６ｂの長さＬｂも、図１に示すように、約９〜４５ｍｍに設定するのが望ましい。
【００５３】
また、手の甲側の各指先の先端には、衝撃吸収パッド３を設けていない指先非パッド部８１，８２，８３，８３，８４，８５を設定している。
【００５４】
この指先非パッド部８１〜８５は、詳細には、図３（ａ）に示すように、爪Ｔの位置を全て衝撃吸収パッド３３（３）で覆わないような位置関係及び範囲で設定している。このように、指先非パッド部８１〜８５を設定することにより、ロールボックスパレットＰ（図４（ａ）参照）の移動作業に付随する細かな作業を確実に行うことができる。
【００５５】
すわなち、例えば、ロールボックスパレットＰの移動作業に付随する作業には、荷物伝票の記載作業がある。このとき、ボールペン等の筆記具で荷物伝票に文字を書くが、この際、ボールペンをしっかり保持する必要がある。例えば、図３（ｂ）に示すように、ボールペンＳで文字を書く場合には、中指の爪Ｔの根元あたりでボールペンＳを支持して、図示しない親指と人差し指で、ボールペンＳを挟んで筆記を行う。
【００５６】
この時、例えば、爪Ｔの一部、特に根元部分において、仮に衝撃吸収パッド３が設けられていた場合には、安定してボールペンＳを支持することができず、しっかりと文字を書くことができない。このため、こうした細かな作業をする場合には、一旦、手袋を外して行うことなり、ロールボックスパレットＰの移動作業の作業効率が悪化する。
【００５７】
これに対して、本実施形態のロールボックスパレット作業用手袋Ｇは、爪Ｔの位置を全て衝撃吸収パッド３で覆わないような位置関係及び範囲で、指先非パッド部８３を設定しているため、しっかりとボールペンＳ等の筆記具を支持することができる。
【００５８】
また、ロールボックスパレットＰの移動作業に付随する細かい作業として、落下した小さな物の拾い上げ作業、さらには、紐やロープの結び作業などもあるが、全て指先非パッド部８１〜８５を設定していることで容易に行える。
【００５９】
小さな物の拾い上げ作業については、指の爪先を合わせで行うが、指先非パッド部８１〜８５が設定されていることで、その爪先も目視することもでき、且つ、指先の感触も鈍らせることもなく物を掴むことができるため、容易に行うことができる。
【００６０】
また、紐等の結び作業についても、結び作業のなかに、紐の輪の中に指先を入れる工程があるが、この時も、指先非パッド部８１〜８５が設定されていることで、この工程が楽になり、容易に紐等の結び作業を行うことができる。
【００６１】
なお、この指先非パッド部８１〜８５の範囲は、図２に示すように手袋の指先の先端から約１５ｍｍ程度の範囲Ｅに設定することが望ましい。
【００６２】
また、手の側面及び指の側面には、衝撃吸収パッド３及び滑り止めシート２を設けていない側面非パッド部９４，９５を設定している。すなわち、この側面非パッド部９４，９５は、ベース手袋１がそのまま露出している部分である。
【００６３】
この側面非パッド部９４，９５を設定したことで、作業者は、衝撃吸収パッド３等を設けていない通常の手袋と同じように、各指の間や手の側面で、外部感覚を得ることできるため、作業者は、ロールボックスパレットＰの移動作業等の情報を、ロールボックスパレット作業用手袋Ｇを着用した状態でも即座に得ることができる。
【００６４】
よって、作業者は、通常の手袋を着用したような感覚で、本実施形態のロールボックスパレット作業用手袋Ｇを着用することができる。
【００６５】
次に、図４、図５を使って、ロールボックスパレットＰの移動作業時におけるロールボックスパレット作業用手袋Ｇの機能について説明する。図４は、ロールボックスパレット移動作業を説明する図で、（ａ）が全体斜視図、（ｂ）が詳細平面図、図５は壁や隣のロールボックスパレットとの間に作業者の手が挟まっている状態を示す斜視図を示す。
【００６６】
図４（ａ）に示すように、作業者Ｍは、荷物が積載されたロールパレットボックスＰを倉庫内等で移動するに際し、ロールボックスパレットＰの側面枠Ｐａを両手でしっかりと握って行うことになる。このとき、作業者Ｍは、本実施形態のロールボックスパレット作業用手袋Ｇを着用して作業を行う。
【００６７】
なお、ロールボックスパレットＰは、底板Ｐｂと、底板Ｐｂ下面に取り付けられるキャスターＰｃと、底板Ｐｂ上の周囲に取り付けられる側面枠Ｐａと、によって構成されている。そして、ロールボックスパレットＰの底板Ｐｂ上に搬送する複数の荷物Ｚを積載している。
【００６８】
前述したように、ロールボックスパレット作業用手袋Ｇは、滑り止めシート２を掌及び各指の内側に相当する位置に貼着しているため、作業者Ｍは手を滑らせることなく、ロールボックスパレットＰをしっかりと握ることができる。
【００６９】
また、ロールボックスパレット作業用手袋Ｇは、図４（ｂ）に示すように、衝撃吸収パッド３（３２，３６）を手の甲及び各指の外側に貼着しているため、ロールボックスパレットＰの側面枠のポールＰａ１と荷物Ｚとの間で、側面枠のポールＰａ１を握った手が挟まれたとしても、衝撃吸収パッド３が衝撃を吸収して、作業者の手に、衝撃が作用しにくくなり、作業者の安全が図られる。
【００７０】
また、衝撃吸収パット３の凸部３２ｂの外形を、円曲面状Ｒに形成していることで、作業者が始めにロールボックスパレットＰの側面枠のポールＰａ１を握ろうとする際に、凸部３２ｂがロールボックスパレットＰに積載した荷物Ｚに接触（干渉）しても、この凸部３２ｂが荷物Ｚの角などに引っ掛かることがないため、スムーズに、ロールボックスパレットＰの側面枠のポールＰａ１と荷物Ｚとの間に、指を差し入れることができる。
【００７１】
よって、作業者Ｍは、迅速に、ロールボックスパレットＰの側面枠Ｐａを握ることができ、ロールボックスパレットＰの移動作業の作業性を向上させることができる。
【００７２】
また、図５に示すように、作業者Ｍがロールボックスパレットの側面枠のポールＰａを握って、ロールボックスパレットＰを移動させる際には、誤って、壁や隣のロールボックスパレットＷとの間に、手を挟むおそれがある。このときに、本実施形態のロールボックスパレット作業用手袋Ｇには、手の甲及び指の外側に相当する位置に、衝撃吸収パッド３（３１，３２，３６）が存在するため、作業者Ｍの手の甲や指に衝撃が作用しにくくなり、作業者の安全を図ることができる。
【００７３】
次に、本実施形態のロールボックスパレット作業用手袋の作用、効果について記載する。
【００７４】
本実施形態のロールボックスパレット作業用手袋Ｇは、指の外側で指先の爪に相当する位置において、爪Ｔの全体に相当する範囲に、衝撃吸収パッド３を設けていない指先非パッド部８１〜８５を設定している。
【００７５】
これにより、指先の爪Ｔに相当する位置には衝撃吸収パッド３が設けられていないため、指先の爪Ｔに相当する部分で筆記具等を支持することなどが容易に行える。
【００７６】
すなわち、ロールボックスパレットＰの移動作業を行う際に、作業者の手に外方から衝撃を加わったとしても、その衝撃を衝撃吸収パッド３で緩和することができる。また一方、荷物伝票に記載を行う場合等においても、中指の爪の根元付近で筆記具を容易に支持することができるため、手袋を着用したまま、荷物伝票の記載等の細かい作業を行うことができる。
【００７７】
よって、ロールボックスパレットＰの移動作業の際に着用して、手の外方からの衝撃を緩和する衝撃吸収パッド３を備える作業用手袋において、荷物伝票の記載作業等の細かな作業を、手袋を着用したまま容易に行なうことができ、作業性の向上を図ることができる。
【００７８】
なお、このように、指先非パッド部８１〜８５を設定することで、衝撃吸収パッド３が指先部分になくなるが、ロールボックスパレットＰの移動作業中には、指先よりも指の根元や手の甲を挟んだり、ぶつけたりすることが多いため、大きな問題となることはない。
【００７９】
また、本実施形態のロールボックスパレット作業用手袋Ｇは、衝撃吸収パッド３（３１〜３６）を凹凸形状の複数の凹部３１ａ〜３６ａと凸部３１ｂ〜３６ｂとで構成して、この衝撃吸収パッドの各凸部３１ｂ〜３６ｂの外形形状を円曲面Ｒとしている。
【００８０】
これにより、衝撃吸収パット３の凸部３１ｂ〜３６ｂの外表面を円曲面で滑らかな面にすることができる。
【００８１】
このため、ロールボックスパレットＰに荷物Ｚを積載した状態で、作業者がロールボックスパレットＰの側面枠のポールＰａ１を握る際などに、衝撃吸収パッドの凸部が積載した荷物に接触したとしても、凸部が荷物に引っ掛かることなく、手を差し入れることができ、ロールボックスパレットの側面枠のポールＰａ１をスムーズに握ることができる。
【００８２】
よって、手の甲や指の外側に相当する位置に、衝撃吸収パッド３を設けたとしても、凸部３１ｂ〜３６ｂが荷物に干渉しないため、ロールボックスパレットＰの側面枠のポールＰａ１を、迅速に握ることができ、ロールボックスパレットＰの移動作業の作業性を向上できる。
【００８３】
また、本実施形態のロールボックスパレット作業用手袋Ｇは、凹部３１ａ〜３６ａと凸部３１ｂ〜３６ｂの延びる方向を、手の折り曲げ方向と直交する方向に設定している。
【００８４】
これにより、衝撃吸収パッド３の凹部３１ａ〜３６ａと凸部３１ｂ〜３６ｂの延びる方向を、折り曲げ方向に直交する方向に設定しているため、衝撃吸収パッド３を設けたとしても、手の握り動作に対して抵抗になりにくく、作業用手袋を着用した状態で、スムーズに手を握ることができる。
【００８５】
よって、衝撃吸収パッド３を手の甲や指の外側に設けたとしても、ロールボックスパレットＰの側面枠のポールＰａ１等を握る際に、衝撃吸収パッド３が抵抗にならないため、ロールボックスパレットＰの移動作業を迅速に行うことができる。
【００８６】
また、本実施形態のロールボックスパレット作業用手袋Ｇは、衝撃吸収パッド３が、人指し指の付け根４と小指の付け根５とを結ぶ線に相当する位置に第一の切れ目３ｃ１を設定し、親指の付け根６と手首の内側位置７とを結ぶ線に相当する位置に第二の切れ目３ｃ２を設定して、各指に相当する位置に設けた複数の指用パッド３１，３２，３３，３４，３５と、手の甲に相当する位置に設けた甲用パッド３６とに分かれている。
【００８７】
これにより、前記衝撃吸収パッド３が、各指に相当する位置の複数の指用パッド３１，３２，３３，３４，３５と、手の甲に相当する位置の甲用パッド３６と、に分かれているため、各々独立して動く５本の指の動作をできるだけ阻害しないようにできる。
【００８８】
よって、衝撃吸収用パッド３を、手の甲や指の外側に設けたとしても、５本の指をスムーズに動かすことができ、ロールボックスパレットＰの移動作業を迅速に行うことができる。
【００８９】
また、本実施形態のロールボックスパレット作業用手袋Ｇは、手の側面及び指の側面に、衝撃吸収パッド３及び滑り止めシート２を設けていない側面非パッド部９４，９５を設定している。
【００９０】
これにより、手の側面及び指の側面に、側面非パッド部９４，９５を設けたことで、通常の手袋と同様に、作業者Ｍは、各指の間や手の側面での感触（感覚）を得ることできるため、作業者Ｍは、ロールボックスパレットＰの移動作業等に感触で得られる情報を、作業用手袋を着用した状態でも瞬時に得ることができる。
【００９１】
よって、作業者は、より迅速かつ安全に、ロールボックスパレットＰの移動作業等を行うことができる。
【００９２】
以上、１つの実施形態で本発明を説明したが、本発明は、この実施形態に限定されるものではない。例えば、爪の全範囲に相当する範囲に指先非パッド部８１，８２，８３，８４，８４，８５を設定していれば、衝撃吸収パッドの形状は、この凹凸形状に限定されず、洗濯板のように山谷の形状であっても良い。また、衝撃吸収パット３の枚数についても、指や甲に相当する部分で分かれてなくても良く、１枚で形成されていてもよい。もっとも、切れ込み等を設けて変形しやすくする工夫を行うことなどが考えられる。
【産業上の利用可能性】
【００９３】
以上説明したように、本発明にかかるロールボックスパレット作業用手袋は、例えば、トラックの荷台や倉庫等において行われる、いわゆるロールボックスパレットの移動作業等の際に着用する作業用手袋において有用である。
【符号の説明】
【００９４】
Ｇ…ロールボックスパレット作業用手袋
１…ベース手袋
２…滑り止めシート（滑り止め用シート）
３，３１，３２，３３，３４，３５，３６…衝撃吸収パッド（衝撃吸収用パッド）
８１，８２，８３，８４，８５、…指先非パッド部
３１ａ，３２ａ，３３ａ，３４ａ，３５ａ，３６ａ，３６ｃ…凹部
３１ｂ，３２ｂ，３３ｂ，３４ｂ，３５ｂ，３６ｂ…凸部
３ｃ１…第一の切れ目
３ｃ２…第二の切れ目
９４，９５…側面非パッド部
Ｒ…円曲面
【図１】
0006690890.tif 000002
【図２】
0006690890.tif 000003
【図３】
0006690890.tif 000004
【図４】
0006690890.tif 000005
【図５】
0006690890.tif 000006